(57)【要約】【課題】  人工肛門の排泄物収容パウチが排泄物を排泄後も完全に清掃されず、内部が残渣で汚濁されているパウチを、手の汚れや排出物の飛散が無く簡便確実で清潔に洗浄し、経済的な価格で提供するパウチ洗浄装具。【解決手段】  管筒状の長い構成に形成された樹脂シート洗浄装具の上部に、可撓性の板と接着性の開口補助資材を装備し、注水孔と開閉自在の蓋を設けた洗浄装具と、人体に貼着されたパウチを嵌合して連結し、注水孔から注水した洗浄装具の水をパウチに転移して内部を洗浄し、汚水をパウチ排出口から洗浄装具を経て取捨する。【選択図】図２
2008126043.tif 000002
【特許請求の範囲】
【請求項１】
人工肛門の排泄物収容袋パウチの排泄物排泄後の付着残渣洗浄に、
パウチ排泄口より広い口径と長尺に樹脂シートを結合して構成した管筒状装具の上端に、パウチ排泄口の開口に連動する可撓性板及び接着の補助材を装備し、可撓性板幅に適合する折り返し用のカット部を設け、人体に装着されたパウチと管筒状装具を連結しパウチを洗浄することを特徴とするパウチ洗浄装具。
【請求項２】
洗浄装具の可撓性板下辺に注水孔を設け注水孔に開閉自在の蓋を取り付け、注水してパウチ内部を洗浄することを特徴とするパウチ洗浄装具。
【請求項３】
注水瓶及び汚水横溢防止用クリップを装備するパウチ洗浄装具。
【発明の詳細な説明】
【技術分野】
【０００１】人工肛門より排泄された排泄物を収容し、排出まで蓄積する排泄物収容パウチの清掃洗浄に関するものである。
【背景技術】
【０００２】人工肛門排泄物収容パウチは２枚の柔軟性樹脂シートを結合形成してなる袋体で、中央に排泄物を受容する開口が在り下辺に排出口を設け、排出口を構成する２枚のシートの単面に形状保持プレートと称するバネ板を装備し、バネ板の両端を持って圧縮すると可撓して曲がり、排出口を開いた状態に保ち排出操作を容易にしている。
排出以前の排泄物の蓄積で流出防止に排出口上部に、面ファスナー又はクリップで開閉を管理している。【０００３】従来の人工肛門排泄物の排出操作は、パウチに蓄積された排泄物を手動で押し出し排出口より排出するもので、その排泄物の状態は泥状又は軟便の排泄が多くパウチ内に充満付着するが、パウチ装具類の販売説明には排出操作の実態表明は回避され、手動絞り出しでも完全美麗に排泄される如く説明されることが多く、事実とは甚だ異なり汚泥に満ちた残渣付着のパウチを取り替えまで着用し忍従に努めているものである。
【特許文献１】  特開２００６−４３０３７
【特許文献２】  特許公表２００５−５２２２７１
【特許文献３】  登録実用新案第３０９３９４４号
【発明の開示】
【発明が解決しようとする課題】
【０００４】上記の特許文献１から文献３記載の人工肛門排泄物収容パウチに示されている機能構成の如く、複数のシートで形成され上部に収容開口部と下部に排出口を備え、表裏の内の１枚に漏出防止のストッパーが装備され等パウチの収容蓄積に関しては充分な工夫がなされている、然し何れも出願明細書或は頒布説明にも蓄積物の排出の段階で『排泄又は排出する』で終了し具体的な状況開示はされて無い。【０００５】排泄操作は当然手動に頼らなければ為らないが、人体に貼着されているパウチの実態は泥状又は軟便が袋の内壁に充満した状態で付着しているが、実状の表明及び対策は敬遠され何ら構じられことは無く、パウチ貼着者のみが忍従して使用しているものである。【０００６】文献３その他２〜３の本問題に関する先願が有るが、全て機械器具を用い排泄物を蓄積した袋を人体から取り外し洗浄する物で、現在では面板と袋をロック噛み合わせ方式の２品系が有り、取り外した袋を洗浄して再び貼り付けることは無く新品と取り替えている、文献３は有効に見えて明細書［実施例］に記載されている、吸い上げられた水はノズルの先端部１から噴出し、汚物と一緒に湾曲部２を汚しながら通過し、便器の方へ流れ落ちる、と説明され、本発明が提案する本文前記［０００４］で述べる明示を欠いた『排出される』に当たり、現実は文章の如き流れ落ちる緩やかなものでは無く、袋の位置や高さにより噴出状態で汚物と水はハネ飛び、持つ手を汚さずに場所を汚す結果を生むものである。
【発明の開示】
【発明が解決しようとする課題】
【０００７】本発明は装着したまま排泄物排泄後の残渣汚泥の残るパウチの洗浄を可能とし、使用者の汚濁忍従の精神的苦痛に解放を与える装具の提供を図るものである。
解決の主題は排出作業の手の汚染や排出物の飛散を防ぎ、清潔な袋を経済的に継続して使用を可能とすることである。【０００８】パウチを人体から剥離し機械による洗浄手法で洗浄し再び貼付する方式は、現在は採用されず２品系に代わっているが、２品系であっても面板から袋を取り外して排出する場合、面板周囲には残渣が充溢し洗浄には難渋しているが、現在の装具には解消するものは無く、即ち人体に装着された袋及び面板などの装具の洗浄は着用のままでは不可能とするものである。
【課題を解決するための手段】
【０００９】排泄物受容パウチの排出口を嵌合可能とする口径の、樹脂系シートの結合による管筒状で概ね１ｍ前後の長さに形成された装具で、表面の上端にパウチを開口する接着性を持つ開口補助資材を貼付し、同裏面上端に開口の為の可撓性を持つ資材で作られたバネ板と開口補助資材を貼付し、装具の両端をカットしたカット部を設け、装具中央に注水孔と蓋を装備したパウチ洗浄具をパウチと連結し、汚泥を持つパウチに注水し排泄残渣の付着するパウチ内部を、表面から手もみで撹拌し洗浄する。【００１０】パウチ表面から水溶汚物を撹拌するので手の汚れることは無く、排出口をバネ板の両端を圧迫して開口し水溶汚物を排出するが、パウチ洗浄具は作業環境に適応して切断可能な１ｍ前後の長いサイズの構成で、放出廃棄場所はトイレ或は寝たきり患者介護でバケツへの取捨もでき、又高齢者のセルフケアも出来るものである。
【発明の効果】
【００１１】本発明のパウチ洗浄装具は、簡便な装置で高齢者であっても誰でも容易に操作ができるもので、水の利用で残渣の清掃は手もみより充分に行われ、手を汚すこと無く簡潔で清潔と確実な排出操作ができる安価で経済的負担の少ないものである。
【発明を実施するための最良の形態】
【００１２】本発明の実施の形態について、図面を参照しながら説明する。
【実施例】
【００１３】図１は本発明のパウチ洗浄装具裏正面図である。
洗浄装具１は樹脂系シートを管筒状に結合し、パウチ８ａｂの下部排泄口を嵌合可能な口径と使用者の身長の概ね半分に当たる約１ｍの長さを持ち、上端両側を折り曲げ３易くする為のカット部２の有る部分の装具内側に、狭幅で弱粘の両面テープ状の資材４を設ける。【００１４】図２はパウチ洗浄装具の表正面図である。
洗浄装具１の上端内側に樹脂系で可撓性を持つ厚さと適当な幅のバネ板５と、バネ板５の上に裏面と同等の両面テープ状の開口補助資材４を設け、その下部適当な位置に注水瓶口が入る径の注水孔６と開閉自在の蓋７を装備する。【００１５】図３はパウチ洗浄装具の縦断面図である。
洗浄装具１の上部を折り曲げ線３で外側に折り曲げる。【００１６】図４はパウチ洗浄装具上部を折り曲げた裏正面図である。
洗浄装具１の折り曲げ部に、狭幅の両面テープ状の資材４が設けられている。
資材４は排泄物排出に当たり排出口の開口を補助するもので、パウチ８ａｂと洗浄装具１との嵌合面８ａにはバネ板５が装備され、洗浄装具１と開口を同調させて排出物の漏出を防止する為の同調接着材に用いる。【００１７】図５はパウチ洗浄装具上部を折り曲げた表正面図である。
洗浄装具１の折り曲げ部に、バネ板５とバネ板５の上に裏面と同等の開口補助資材４を設け、パウチ８ａｂと洗浄装具１と嵌合面８ｂはシート１枚のみでバネ板５が無く確実な開口は望み難いので、洗浄装具１にバネ板５に付加してシートを接着して掌握する開口補助資材４を装備する。【００１８】図６はパウチと洗浄装具の相関図である。
パウチ８の下部排出口にバネ板５が装着され開口及び閉鎖具の一部に用いられ、樹脂系シートを管筒状で排出口を嵌合可能な口径に形成されたパウチ洗浄装具１は、洗浄操作の始めに折り返し部３を外側に折り、裏面側の開口補助資材４の両面テープ状の保護紙を剥ぎ取る、この操作は洗浄装具１に保護紙の無い接着剤を貼付すると必要以外の箇所に接着が発生し、柔軟なシートから剥離する修復は作業の混乱となるので保護紙付きとしたものである。【００１９】パウチ８とパウチ洗浄装具１を嵌合と開口補助資材４で接着して連結し、注水孔６より注水し蓋７を閉じ洗浄装具１をパウチに向かって１〜２回巻き上げて逆流防止を行い、注水をパウチ８に送り込みパウチ８内部を洗浄するが、逆流の不安が有る場合は巻き上げ部をクリップ９で止水する。１回の洗浄で満足しない場合は繰り返し行い、パウチ８との送水及び排出はバネ板５の両端を圧縮すれば可撓性で開口し洗浄液が流通する。
注水孔に注水する瓶容器は小型容器で、飲料容器の応用でも好く注水口が細口の物を使用し、小型の注水瓶及び廃棄用ポリ袋を折り畳み携帯すれば、外出先でも洗浄が可能な利便性を持つものである。【００２０】図７はパウチと洗浄装具の相関縦断面図である。
パウチ８の表面８ａは洗浄装具１の裏面開口補助資材４と嵌合で接着し、パウチ８の裏面８ｂは洗浄装具１の表面上端にバネ板５と開口補助資材４で嵌合し接着する。【００２１】本発明はパウチ使用者が長年排泄物排出後も、残渣の付着で汚泥に満ちたパウチを常時身体に貼付けている苦渋を、簡単容易に解消され更に経済的にも安価な費用で解決出来ることは実務的にも精神的にも多大な祝福となるものである。
【図面の簡単な説明】
【００２２】
【図１】  洗浄装具裏正面図。
【図２】  洗浄装具表正面図。
【図３】  洗浄装具縦断面図。
【図４】  上部折り曲げ裏正面図。
【図５】  上部折り曲げ表正面図。
【図６】  パウチと洗浄装具の表相関図。
【図７】  パウチと洗浄装具の縦断面相関図。
【符号の説明】
【００２３】    １    パウチ洗浄装具              ６    注水孔
２    カット部                    ７    蓋
３    折り曲げ線                  ８ａ  パウチ表面
４    開口補助資材                ８ｂ  パウチ裏面
５    バネ板                      ９    クリップ
【図１】
2008126043.tif 000003
【図２】
2008126043.tif 000004
【図３】
2008126043.tif 000005
【図４】
2008126043.tif 000006
【図５】
2008126043.tif 000007
【図６】
2008126043.tif 000008
【図７】
2008126043.tif 000009